(57)【要約】【課題】電子鍵盤楽器の鍵盤装置に備えられたハンマーの部品点数を削減することにより製造工数および製造コストを削減すること。【解決手段】鍵３の回動に連動して回動するハンマー４は、前後方向に延びるハンマー本体２５と、ハンマー本体２５の後腕部２５ｃに取り付けられた第一の質量部２５ａと、前腕部２５ｂに取り付けられた第二の質量部２５ｂとを備えている。従来は別体であった第一の質量部２６ａおよび第二の質量部２６ｂを質量板２６として一体に構成したので、その部品点数の削減により製造工数および製造コストを削減できる。【選択図】図２
2004037484.tif 000002
【特許請求の範囲】
【請求項１】
電子鍵盤楽器の鍵の動作に連動して回動可能に支持されたハンマー本体と、
前記鍵を押し下げる際にその動作に連動して回転する前記ハンマー本体の回転を助長するように前記ハンマー本体に重量を付与する第一の質量部と、
前記鍵を押し下げる際にその動作に連動して回転する前記ハンマー本体の回転を抑止するように前記ハンマー本体に重量を付与する第二の質量部と
を備えるハンマーであって、
前記第一の質量部および前記第二の質量部が一体に構成されているか、または、前記第一の質量部若しくは前記第二の質量部の何れか一方が前記ハンマー本体に一体に構成されていること
を特徴とするハンマー。
【請求項２】
請求項１記載のハンマーにおいて、
前記ハンマー本体および前記ハンマー本体に一体に構成された場合の前記第一の質量部若しくは前記第二の質量部は樹脂であり、
前記ハンマー本体とは別体に構成された場合の前記第一の質量部若しくは前記第二の質量部は樹脂よりも比重が高い金属であること
を特徴とするハンマー。
【請求項３】
請求項１または２記載のハンマーにおいて、
前記第一の質量部は、向かい合う２枚の第一の側板と、該２枚の第一の側板を連結する第一の連結板とからなる断面コの字形に構成されており、
前記２枚の第一の側板は、前記ハンマー本体の両側にそれぞれ位置し、且つ前記第一の連結板は、前記ハンマー本体の上方または下方に位置すると共に、
前記第二の質量部は、向かい合う２枚の第二の側板と、該２枚の第二の側板を連結する第二の連結板とからなる断面コの字形に構成されており、
前記２枚の第一の側板は、前記ハンマー本体の両側にそれぞれ位置し、且つ前記第二の連結板は、前記ハンマー本体の上方または下方に位置すること
を特徴とするハンマー。
【請求項４】
電子鍵盤楽器の鍵の動作に連動して回動可能に支持されたハンマー本体と、
前記鍵を押し下げる際にその動作に連動して回転する前記ハンマー本体の回転を助長するように前記ハンマー本体に重量を付与する第一の質量部と、
前記鍵を押し下げる際にその動作に連動して回転する前記ハンマー本体の回転を抑止するように前記ハンマー本体に重量を付与する第二の質量部と
を備えるハンマーであって、
前記ハンマー本体、前記第一の質量部および前記第二の質量部は、一体に構成されていること
を特徴とするハンマー。
【請求項５】
請求項１〜４の何れかに記載のハンマーを備える鍵盤装置。
【発明の詳細な説明】
【０００１】
【発明の属する技術分野】
本発明は、電子鍵盤楽器の鍵盤装置に備えられるハンマーなどに関する。
【０００２】
【従来の技術】
電子鍵盤楽器の鍵の動作に連動して回動（両方向に回転する意。以下同様。）可能に支持されたハンマーが知られている。
このようなハンマーは、押鍵された鍵を復帰させるためのものであり、中には例えば実開平５−９０５８５号公報にて開示された電子鍵盤楽器の鍵盤装置に備えられたハンマーのように、その軸支されたところの両側それぞれに錘が取り付けられたものがある。
【０００３】
具体的には、このような電子鍵盤楽器の鍵盤装置は、図６に示すように、電子鍵盤楽器の鍵盤フレーム１０２の支点１０２ａに支持されて回動する鍵１０１に回動自在に設けたジャック１０９と、ジャック１０９に当接して鍵１０１の回動に抗力を与えるハンマー１０８とを備え、さらに鍵盤フレーム１０２にハンマー１０８の中間部を支点１０６にて回動自在に軸支し、この軸支したところとジャック１０９との間に弾性部材１１０を張設し、軸支したところを挟んでハンマー１０８の両側にそれぞれ錘１０７ａ，１０７ｂを設けた構成となっている。
【０００４】
このように構成された電子鍵盤楽器の鍵盤装置においては、鍵１０１を押し下げると鍵１０１に押されてジャック１０９も下動する。ジャック１０９の下動が進むと、ジャック１０９がハンマー１０８に当接してこれを回動させる。その状態からジャック１０９の下動がさらに進むと適当な位置に用意された固定部材１１５に当接してジャック１０９が回動し、鍵１０１とハンマー１０８の連係が断たれる。そして鍵１０１は鍵盤フレーム１０２に当接する下限に達する。これにより演奏者は押鍵中、抵抗感と非抵抗感を受け、アコースティックピアノの鍵タッチが得られる。鍵１０１は主に弾性部材１１０の弾力による補助復帰力により初期位置に復帰して次の押鍵に備える。
【０００５】
上述のようにハンマー１０８は、支点１０６に軸支されたところを中心にして回動するが、ハンマー１０８には、この軸支されたところを挟んで両側にそれぞれ錘１０７ａ，１０７ｂが設けられているので、ハンマー１０８の質量が大きくても鍵１０１の比較的小さい押鍵力で回動し、鍵１０１の行き荷重がその戻り荷重に対して小さくなり、荷重のバランスが向上する。また、ハンマー１０８の両側の錘１０７ａ，１０７ｂの重量配分を変えることで、簡単にそのバランス調整を行なえ、ハンマー１０８の質量が弾性部材１１０の荷重に比べてはるかに小さくても十分な等価質量が得られる。
【０００６】
【発明が解決しようとする課題】
しかし、このようなハンマーには、上述のように、軸支したところを挟んだその両側に錘がそれぞれ設けられていたため、その分部品点数が増えることにより製造工数および製造コストが多かった。
【０００７】
本発明は、このような不具合に鑑みなされたものであり、その目的とするところは、その部品点数の削減により製造工数および製造コストを削減できるハンマー等を提供することにある。
【０００８】
【課題を解決するための手段及び発明の効果】
上記課題を解決するために、請求項１のハンマーは、電子鍵盤楽器の鍵（３：この欄においては、発明への理解の容易化のため、必要に応じて実施の形態中で用いた符号を付すが、この符号によって請求の範囲を限定することを意味するものではない。）の動作に連動して回動可能に支持されたハンマー本体（２５）と、前記鍵を押し下げる際にその動作に連動して回転する前記ハンマー本体の回転を助長するように前記ハンマー本体に重量を付与する第一の質量部（２５ａ）と、前記鍵を押し下げる際にその動作に連動して回転する前記ハンマー本体の回転を抑止するように前記ハンマー本体に重量を付与する第二の質量部（２５ｂ）とを備えるハンマー（４）であって、前記第一の質量部および前記第二の質量部が一体に構成されているか、または、前記第一の質量部若しくは前記第二の質量部の何れか一方が前記ハンマー本体に一体に構成されていることを特徴とする。
【０００９】
従来は、図６を参照して説明したようにハンマー１０８は、支点１０６に軸支されたところを挟んで両側にそれぞれ別体である錘１０７ａ，１０７ｂを設けた構成であった。
それに対して、本請求項１のハンマー（４）においては、図２に例示するように第一の質量部および第二の質量部を一体に構成するか、または図４（ａ）、（ｂ）に例示するように第一の質量部若しくは第二の質量部の何れか一方をハンマー本体に一体に構成したので、その部品点数の削減により製造工数および製造コストを削減できる。
【００１０】
また、従来のハンマー１０８の場合と同様に、演奏者は押鍵中、本請求項のハンマーより抵抗感と非抵抗感を受け、アコースティックピアノの鍵タッチが得られる。
さらに、第一の質量部の重さや第二の質量部の重さを調整することにより鍵のタッチ感を自由に設定可能となり、鍵盤装置（１）の設計の自由度が増す。
【００１１】
また、高音側の鍵に用いるハンマーと低音側の鍵に用いるハンマーとでは動荷重を変化させる必要があるが、このような構成によれば、高音用と低音用とで第一の質量部や第二の質量部を異なった形状にしてその重量を変化させることにより対応できる。
【００１２】
なお、請求項２のように、ハンマー本体およびハンマー本体に一体に構成された場合の第一の質量部若しくは第二の質量部の材質の具体例としては樹脂が挙げられ、ハンマー本体とは別体に構成された場合の第一の質量部若しくは第二の質量部の材質の具体例としては、樹脂よりも比重が高い金属が挙げられる。
【００１３】
この場合、例えば図５（ａ）、（ｂ）に示すように、第一の質量部を、向かい合う２枚の第一の側板と、２枚の第一の側板を連結する第一の連結板とからなる断面コの字形に構成し、２枚の第一の側板をハンマー本体の両側にそれぞれ位置させ、且つ第一の連結板をハンマー本体の上方または下方に位置させると共に、第二の質量部を、向かい合う２枚の第二の側板と、２枚の第二の側板を連結する第二の連結板とからなる断面コの字形に構成し、２枚の第二の側板を、ハンマー本体の両側にそれぞれ位置させ、且つ第二の連結板を、ハンマー本体の上方または下方に位置させるとよい（請求項３）。
【００１４】
このような構成によれば、第一の質量部および第二の質量部の重量がハンマー本体の両側に対して均等に付与されるので、ハンマーが回動する際の左右のバランスがよくなりスムーズに回動させることができる。
また、請求項４のように、ハンマー本体、第一の質量部および第二の質量部を一体に構成してもよい（図４（ｃ）にて例示）。このように構成すれば、その部品点数の削減により製造工数および製造コストをさらに削減できる。
【００１５】
【発明の実施の形態】
以下、本発明が適用された実施例について図面を用いて説明する。なお、本発明の実施の形態は、下記の実施例に何ら限定されることなく、本発明の技術的範囲に属する限り種々の形態を採りうることは言うまでもない。
【００１６】
図１は、実施例の電子鍵盤楽器の鍵盤装置１を示す側断面図である。なお、以降、鍵盤装置１において、演奏者が演奏する側（図１で左側）を「前部」とし、演奏者が演奏する側の反対側（図１では右側）を「後部」とし、演奏者側から見た鍵盤装置１の右側、左側をそれぞれ「右部」、「左部」とする。
【００１７】
この図１に示す鍵盤装置１は、電子ピアノなど電子鍵盤楽器の前部に設置される８８鍵用のものであり、シャーシ２と、シャーシ２の後端部に回動自在に取り付けられた白鍵および黒鍵から成る８８個の鍵３（図１には１個の白鍵のみ図示）と、鍵３ごとにシャーシ２の中央部に回動自在に取り付けられた複数のハンマー４（図１に１個のみ図示）などを備えている。
【００１８】
［シャーシ２の構造］
このうちシャーシ２は、中央の６個の中間シャーシ（図示せず）と、最低音部用シャーシ（図示せず）と、最高音部用シャーシ（図示せず）の、計８個のシャーシにより分割構成され、左右方向に並んだ状態で図示しない棚板に支持されている。これら計８個のシャーシ２は、左右方向に延びる４本の連結バー６ａ，６ｂ，６ｃ，６ｄにねじ７で固定され、各連結バー６ａ，６ｂ，６ｃ，６ｄ上に左右方向に並んだ状態で連結されている。これら各連結バー６ａ，６ｂ，６ｃ，６ｄは、シャーシ２の左右方向の全体に渡る細長い１本のアングル状のものであり、例えば鋼板の曲げ加工によって形成されている。また、前後方向に延びる補強用のリブ８がオクターブごとに配置され（図１に１個のみ図示）、連結バー６ａ，６ｄ間にねじ９で固定されている。このリブ８は、例えば１枚の鋼板を金型を用いて曲げプレス加工することにより形成されている。以上のように４本の連結バー６ａ，６ｂ，６ｃ，６ｄで連結され、リブ８で補強されたシャーシ２は、前後の連結バー６ａ，６ｄを介して、ねじなどで図示しない棚板に固定されている。
【００１９】
また、このシャーシ２は、鍵３ごとに次のように構成されている。すなわち、シャーシ２の後端部には、鍵３を支持する鍵用軸穴１１，１１が設けられている。またシャーシ２の中央部にはハンマー４を支持するハンマー用軸穴１２，１２が設けられている。さらに、シャーシ２の前部およびハンマー用軸穴１２，１２の前後には、回動時のハンマー４が通過する第１〜第３ハンマー通過孔１３ａ〜１３ｃが設けられている。また、第１ハンマー通過孔１３ａの後ろ側には、後述する鍵３のストッパ部１４が通過する鍵通過孔１５が設けられている。
【００２０】
さらに、シャーシ２には、第１ハンマー通過孔１３ａの前側で各白鍵に相当する位置に白鍵用ガイド１６ａが、鍵通過孔１５の後ろ側で各黒鍵に相当する位置に黒鍵用ガイド１６ｂが、それぞれ立設されている。
また、シャーシ２には、鍵３およびハンマー４の回動を規制するために、鍵下限ストッパ１７、ハンマー過回動防止ストッパ１８、ハンマー下限ストッパ１９およびハンマー上限ストッパ２０が設けられている。鍵下限ストッパ１７およびハンマー過回動防止ストッパ１８は、鍵通過孔１５と黒鍵用ガイド１６ｂの間の同じ位置に、シャーシ２を挟むようにしてシャーシ２の上面および下面にそれぞれ取り付けられている。また、ハンマー下限ストッパ１９は、前側の連結バー６の下端部に取り付けられ、ハンマー上限ストッパ２０は、白鍵用ガイド１６ａの後ろ側に位置して、シャーシ２の下面に取り付けられている。これらのストッパ１７〜２０はいずれも、シャーシ２の左右方向の全体に渡る１本の帯状の緩衝材、例えば、表面にフェルトを貼り付けた発泡ウレタンなどで構成されている。
【００２１】
また、シャーシ２のハンマー用軸穴１２，１２の後ろ側には、鍵３の押鍵情報を検出するための鍵スイッチ２１が設けられている。この鍵スイッチ２１は、シャーシ２にねじ止めされたプリント基板２１ａと、その上面に設けられたスイッチ本体２１ｂとを備えている。このスイッチ本体２１ｂは、シャーシ２の第３ハンマー通過孔１３ｃに下方から臨んでおり、プリント基板２１ａを介して、電子ピアノの発音を制御する制御装置（図示せず）に接続されている。
【００２２】
［鍵３の構造］
さて、上述のようにシャーシ２の後端部に回動自在に取り付けられた鍵３は、例えばＡＢＳ樹脂の射出成形品で構成されており、両側壁３ｃ，３ｃ（図１に一方のみ図示）と天壁３ｄから成り、底面が開放した逆Ｕ字形の断面を有している。この鍵３の両側壁３ｃ，３ｃの後端部それぞれには、鍵３の内側に向けて突出する突起２３，２３が設けられており、これらの突起２３，２３がシャーシ２の後端部の鍵用軸穴１１，１１にそれぞれ係合することによって、鍵３がシャーシ２に回動自在に支持されている。また、鍵３には、その両側壁３ｃ，３ｃの前部それぞれから下方に延びるフック状のストッパ部１４，１４が設けられている。さらに、鍵３の下面にはアクチュエータ部２９が設けられている。
【００２３】
［ハンマー４の構造］
一方、上述のようにシャーシ２の中央部に回動自在に取り付けられたハンマー４は、鍵３の回動に対して抗力を与えるものであり、前後方向に延びるハンマー本体２５と、ハンマー本体２５の片側（図１ではハンマー本体２５の右側）に取り付けられた質量体としての質量板２６とで構成されている。
【００２４】
このうちハンマー本体２５は、図２に示すように板状であり、且つＡＢＳ樹脂の射出成形品などで構成されている。また、ハンマー本体２５の後端部には、両側方に向けて突出するピン状の突起２７，２７が設けられている。これら突起２７，２７それぞれは、シャーシ２のハンマー用軸穴１２，１２（図１参照）に係合しており、このことによりハンマー４がシャーシ２に回動自在に支持されている。
【００２５】
また、ハンマー本体２５の突起２７，２７よりも後ろ側の部分は、スイッチ押圧部２８になっており、このスイッチ押圧部２８は、シャーシ２の第３ハンマー通過孔１３ｃに臨み、鍵スイッチ２１のスイッチ本体２１ｂに上方から対向するとともに、鍵３のアクチュエータ部２９に下方から当接している。
【００２６】
さらに、ハンマー本体２５は、その中央部２５ａがシャーシ２の第２ハンマー通過孔１３ｂを上下に横切っている。そしてこの中央部２５ａの先端からはシャーシ２の下側を突起２７，２７の前方まで延びる前腕部２５ｂおよびシャーシ２の下側を突起２７，２７の後方まで延びる後腕部２５ｃが延出している。このうち前腕部２５ｂの前端にはストッパ部３０が前方に突出して設けられている。
【００２７】
また、これら前腕部２５ｂおよび後腕部２５ｃには、質量板２６をリベット止めするためのリベット孔５５，５５および質量板２６を位置決めするための位置決め用突起５４，５４がそれぞれ設けられている。
そして、これら前腕部２５ｂおよび後腕部２５ｃの右側の側面は、質量板２６を取り付けるための取付面２５ｄになっている。
【００２８】
［質量板２６の構造］
一方、上述のようにハンマー本体２５に取り付けられた質量板２６は、ハンマー４にアコースティックピアノと同様のタッチ重さを付与するためのものである。この質量板２６は、ハンマー本体２５よりも比重の大きな鋼板などから板状に形成されており、第一の質量部２６ａおよび第二の質量部２６ｂを備えている。これら第一の質量部２６ａおよび第二の質量部２６ｂには、ハンマー本体２５に取り付けられた場合における位置決め用突起に係合可能な位置決め用凹部５６，５６およびハンマー本体２５に取り付けられた場合におけるリベット孔５５，５５にそれぞれ連通可能なリベット孔５７，５７がそれぞれ設けられている。なお、質量板２６には、低音用のものと、低音用よりも高さの低い高音用のもの（図中では一点鎖線で図示）とがある。
【００２９】
上述のような構成の質量板２６は、その位置決め用凹部５６，５６をハンマー本体２５の位置決め用突起５４，５４にそれぞれ係合させて位置決めした後、質量板２６のリベット孔５７，５７およびハンマー本体２５のリベット孔５５，５５にそれぞれ通した図示しないリベットによって、ハンマー本体２５の取付面２５ｄ（つまりハンマー本体２５）に固定される。このとき、板状の質量板２６はハンマー本体２５に密着した状態となり、その結果ハンマー２５の厚みが増して補強される。そして、第一の質量部２６ａは、突起２７，２７よりも後方に配されて後腕部２５ｃに重量を付与し、且つ第二の質量部２６ｂは、突起２７，２７よりも前方に配されて前腕部２５ｂに重量を付与する。
【００３０】
なお、鍵盤楽器１の他の構成は公知技術に従っているので、詳細の説明は省略する。
［鍵盤装置１の動作］
次に鍵盤装置１の動作を説明する。
【００３１】
図１に示す鍵盤装置１の鍵３が押鍵される（つまり鍵３の前部が押し下げられる）と、この鍵３は、白鍵用ガイド１６ａまたは黒鍵用ガイド１６ｂにより左右方向にぶれないように案内されながら、シャーシ２の鍵用軸穴１１，１１によって支持された突起２３，２３を中心にしてその前部が下方に移動する方向に回転する。
【００３２】
引き続き鍵３が回転すると、回転する鍵３のストッパ部１４がシャーシ２の鍵通過孔１５を通過する。なお、鍵３は、鍵３の下面が鍵下限ストッパ１７に当接（図３参照）するまで回転可能である。
引き続き鍵３が回転すると、鍵３のアクチュエータ部２９がハンマー４のスイッチ押圧部２８を押圧し、ハンマー４が、シャーシ２のハンマー用軸穴１２，１２によって支持された突起２７，２７を中心にして前腕部２５ｂが上方に移動して後腕部２５ｃが下方に移動する方向に回転する。この方向にハンマー４が回転する間、第一の質量部２６ａの重量は、ハンマー本体２５の回転を助長するように作用し、一方、第二の質量部２６ｂの重量は、ハンマー本体２５の回転を抑止するように作用する。
【００３３】
そして、ハンマー４が所定角度まで回転したときに、そのストッパ部３０がハンマー上限ストッパ２０に当接する（図３の状態）。また、鍵３が弱く押鍵された場合には、ハンマー４の上限位置は、ハンマー上限ストッパ２０のみによって規制される。一方、鍵３が強く押鍵された場合には、ハンマー４は、ハンマー上限ストッパ２０をさらに圧縮させながら上限位置を越えてさらに回転し、ハンマー過回動防止ストッパ１８に当接することによって、それ以上の回転を阻止される。
【００３４】
また、このハンマー４の回転に伴い、そのスイッチ押圧部２８が鍵スイッチ２１のスイッチ本体２１ｂを押下し、オン動作させることによって、鍵３の押鍵情報が検出され、その検出結果に応じて、制御装置により電子ピアノの発音が制御される。
【００３５】
一方、この状態から鍵３が離鍵されると、鍵３およびハンマー４は、それぞれ上述の鍵３の押鍵時とは逆の方向に回転し、それぞれの初期位置に復帰する。すなわち、鍵３は、その前部が上方に移動する方向に回転し、またハンマー４は、前腕部２５ｂが下方に移動して後腕部２５ｃが上方に移動する方向に回転する。この方向にハンマー４が回転する間、上述の第一の質量部２６ａによる重量は、ハンマー本体２５の回転を抑止するように作用し、一方、第二の質量部２６ｂの重量は、ハンマー本体２５の回転を助長するように作用する。なお、このときのハンマー４の回転は、そのストッパ部３０がハンマー下限ストッパ１９に当接することによって規制される。また、鍵３の回転は、そのストッパ部１４がハンマー過回動防止ストッパ１８に当接することによって規制される（図１の状態）。
【００３６】
［効果］
このように、本実施例のハンマー４においては、従来は別体であった第一の質量部２６ａおよび第二の質量部２６ｂを質量板２６として一体に構成したので、その部品点数の削減により製造工数および製造コストを削減できる。
【００３７】
また、図６を参照して説明した従来のハンマー１０８の場合と同様に、演奏者は押鍵中、このハンマー４より抵抗感と非抵抗感を受け、アコースティックピアノの鍵タッチが得られる。
さらに、第一の質量部２６ａの重さや第二の質量部２６ｂの重さを調整することにより鍵３のタッチ感を自由に設定可能となり、鍵盤装置１の設計の自由度が増す。
【００３８】
また、高音側の鍵に用いるハンマーと低音側の鍵に用いるハンマーとでは動荷重を変化させる必要があるが、このような構成によれば、高音用と低音用とで第一の質量部２６ａや第二の質量部２６ｂを異なった形状にしてその重量を変化させることにより対応できる。
【００３９】
［別実施例］
（１）上記実施例のハンマー４では、従来は別体であった第一の質量部２６ａおよび第二の質量部２６ｂを質量板２６として一体に構成したが、図４（ａ）、（ｂ）に示すように、第一の質量部または第二の質量部の何れか一方をハンマー本体と一体に構成してもよい。このような構成においても上記実施例と同様の作用効果を奏する。
【００４０】
（２）また、図４（ｃ）に示すように、ハンマー本体、第一の質量部および第二の質量部を一体に構成してもよい。このような構成においても上記実施例と同様の作用効果を奏する。
（３）上記実施例では、ハンマー本体２５が位置決め用突起５４，５４を備え、且つ質量板２６が位置決め用凹部５６，５６を備えるように構成し、質量板２６の位置決め用凹部５６，５６をハンマー本体２５の位置決め用突起５４，５４にそれぞれ係合させて位置決めしているが、逆の構成として質量板２６が位置決め用突起５４，５４を備え、且つハンマー本体２５が位置決め用凹部５６，５６を備えるように構成してもよい。
【００４１】
（４）上記実施例では質量板２６をハンマー本体２５にリベットで固定するように構成したが、ハンマー本体２５のリベット孔５５，５５または質量板２６のリベット孔５７，５７の何れか一方の代わりにねじ穴を設け、且つ他方の代わりに貫通穴を設け、止めねじを、貫通穴を通してねじ穴にねじ入れることで質量板２６をハンマー本体２５に取り付けるようにしてもよい。
【００４２】
（５）上記実施例では、板状の質量板２６を、ハンマー本体２５の両側面の一方である取付面２５ｄに取り付けるように構成したが、例えば図５（ａ）、（ｂ）に示すように、第一の質量部を、向かい合う２枚の側板と、２枚の側板を連結する連結板とからなる断面コの字形に構成し、２枚の側板をハンマー本体の両側にそれぞれ位置させ、且つ連結板をハンマー本体の上方または下方に位置させると共に、第二の質量部を、向かい合う２枚の側板と、２枚の側板を連結する連結板とからなる断面コの字形に構成し、２枚の側板を、ハンマー本体の両側にそれぞれ位置させ、且つ連結板を、ハンマー本体の上方または下方に位置させてもよい。
【００４３】
このような構成によれば、第一の質量部および第二の質量部の重量がハンマー本体の両側に対して均等に付与されるので、ハンマーが回動する際の左右のバランスがよくなりスムーズに回動させることができる。
（６）また、図５（ｃ）に示すように、ハンマー本体の前端部が差込部を備え、第二の質量部が、ハンマー本体の差込部を差し込み可能な差込孔を備えるように構成してもよい。この場合、ハンマー本体の前端部をこの差込孔に差し入れれば、ハンマーとなる。
【図面の簡単な説明】
【図１】実施例の電子鍵盤楽器の鍵盤装置を示す側断面図（１）である。
【図２】実施例のハンマーを示す側面図である。
【図３】実施例の電子鍵盤楽器の鍵盤装置を示す側断面図（２）であり、その鍵が押下されているところを示している。
【図４】ハンマーの別実施例を示す説明図（１）である。
【図５】ハンマーの別実施例を示す説明図（２）である。
【図６】従来の電子鍵盤楽器の鍵盤装置を示す側断面図である。
【符号の説明】
１…鍵盤装置、２…シャーシ、３…鍵、４…ハンマー、６ａ，６ｂ，６ｃ，６ｄ…連結バー、７，９…ねじ、８…リブ、１１…鍵用軸穴、１２…ハンマー用軸穴、１３ａ…第１ハンマー通過孔、１３ｂ…第２ハンマー通過孔、１３ｃ…第３ハンマー通過孔、１４…ストッパ部、１５…鍵通過孔、１６ａ…白鍵用ガイド、１６ｂ…黒鍵用ガイド、１７…鍵下限ストッパ、１８…ハンマー過回動防止ストッパ、１９…ハンマー下限ストッパ、２０…ハンマー上限ストッパ、２１…鍵スイッチ、２１ａ…プリント基板、２１ｂ…スイッチ本体、２３，２７…突起、２５…ハンマー本体、２５ａ…中央部、２５ｂ…前腕部、２５ｃ…後腕部、２５ｄ…取付面、２６…質量板、２６ａ…第一の質量部、２６ｂ…第二の質量部、２８…スイッチ押圧部、２９…アクチュエータ部、５４…位置決め用突起、５５，５７…リベット孔、５６…位置決め用凹部
【図１】
2004037484.tif 000003
【図２】
2004037484.tif 000004
【図３】
2004037484.tif 000005
【図４】
2004037484.tif 000006
【図５】
2004037484.tif 000007
【図６】
2004037484.tif 000008